(57)【要約】【課題】複数の企業からの支払い請求がある場合であっても、携帯情報端末を用いて簡易に支払いを行うことができる。【解決手段】各企業側から、利用者のサービスＩＤ、パスワード、及び顧客番号の入力を受け付け、顧客情報登録部７２によって、サービスＩＤ及びパスワードが一致する利用者情報に登録する。各企業側から請求情報及び顧客番号の入力を受け付け、請求情報登録部７４によって、顧客番号に対応する利用者ＩＤを検索し、検索された利用者ＩＤと請求情報とを対応付けた請求管理情報を作成し、請求管理情報データベース８０に登録する。認証が成功した携帯情報端末から、利用者ＩＤを含む請求情報一覧要求を受け付けると、検索部８６によって、利用者ＩＤに対応する請求管理情報を全て検索し、各請求管理情報に含まれるコードパターン情報又は支払い請求情報を、携帯情報端末へ送信する。携帯情報端末はバーコード表示または無線通信により決済を行う。【選択図】図３
2014044700.tif 000002
【特許請求の範囲】
【請求項１】
利用者の携帯情報端末毎に登録したサービスＩＤ、パスワード、及びアプリＩＤを含む利用者情報を利用者ＩＤと対応付けて記憶した利用者情報記憶手段と、
支払い請求情報を発行する各企業側から、前記利用者のサービスＩＤ及びパスワードと共に、前記企業側で前記利用者を識別するための顧客識別情報の入力を受け付ける顧客識別情報受付手段と、
前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段と、
各企業側から、前記利用者に対する前記支払い請求情報を示すコードパターン情報及び前記利用者の前記顧客識別情報の入力を受け付ける請求情報受付手段と、
前記請求情報受付手段によって受け付けた前記顧客識別情報に対応する利用者ＩＤを、前記利用者情報記憶手段から検索する第１利用者ＩＤ検索手段と、
前記第１利用者ＩＤ検索手段で検索された利用者ＩＤと、前記請求情報受付手段によって受け付けた前記コードパターン情報とを対応付けた請求管理情報を作成し、請求管理情報記憶手段に登録する請求管理情報登録手段と、
前記携帯情報端末から、サービスＩＤ、パスワード、及びアプリＩＤを認証情報として受け付ける認証情報受付手段と、
前記認証情報受付手段によって受け付けた前記認証情報と、前記利用者情報記憶手段に記憶された前記利用者情報とを照合して、認証を行う認証手段と、
前記認証手段によって認証が成功した場合、前記利用者情報に対応付けられた利用者ＩＤを含む認証結果情報を、前記携帯情報端末へ送信する認証結果送信手段と、
前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段と、
前記請求管理情報検索手段によって検索された各請求管理情報に含まれる前記コードパターン情報を、前記携帯情報端末へ送信するコードパターン情報送信手段と、
前記コードパターン情報に基づいて前記携帯情報端末に表示されたコードパターン表示を用いて支払い決済を行う決済装置から、前記コードパターン情報を含む収納済み通知を受信すると、前記コードパターン情報を含む前記請求管理情報を、前記請求管理情報記憶手段から検索する決済済み情報検索手段と、
前記決済済み情報検索手段によって検索された前記請求管理情報を更新する請求管理情報更新手段と、
を含む決済サーバ。
【請求項２】
請求項１に記載の決済サーバと、
自端末のサービスＩＤ、パスワード、及びアプリＩＤを認証情報として前記決済サーバへ送信する認証情報送信手段、
前記決済サーバから、前記認証情報に対する前記認証結果情報を受信する認証結果受信手段、
前記認証情報による認証が成功した場合、前記認証結果情報に含まれる前記利用者ＩＤを含む請求情報一覧要求を前記決済サーバへ送信する一覧要求送信手段、
前記請求情報一覧要求に対して前記決済サーバから送信される前記コードパターン情報の各々を受信するコードパターン情報受信手段、及び
前記コードパターン情報受信手段によって受信した前記コードパターン情報の各々をコードパターンに変換して、表示手段に前記コードパターンを表示させる表示制御手段
を含む携帯情報端末と、
を含む決済システム。
【請求項３】
前記請求管理情報記憶手段に登録されている前記請求管理情報は、更に、収納済みであるか未収納であるかを示す請求情報ステータスを含み、
前記請求管理情報更新手段は、前記決済済み情報検索手段によって検索された前記請求管理情報の前記請求情報ステータスを収納済みに更新し、
前記決済サーバは、
前記携帯情報端末から、前記請求情報ステータスの確認要求を受け付ける確認要求受付手段と、
前記請求管理情報記憶手段から、前記確認要求受付手段によって受け付けた前記確認要求の対象となる前記請求情報ステータスを示す情報を取得し、前記携帯情報端末へ送信する請求情報ステータス送信手段とを更に含み、
前記携帯情報端末は、
前記表示制御手段によって前記表示手段に前記コードパターンを表示させているときに、所定間隔で、前記表示されているコードパターンに対応する前記請求情報ステータスの確認要求を、前記決済サーバへ送信する確認要求送信手段と、
前記確認要求送信手段によって送信した前記確認要求に対する前記請求情報ステータスを示す情報を前記決済サーバから受信する請求情報ステータス受信手段と、
前記請求情報ステータス受信手段によって受信した前記請求情報ステータスを示す情報が、収納済みを示す情報である場合、前記請求情報ステータスに対応するコードパターンを前記表示手段に表示させないように制御する表示中止制御手段とを更に含む請求項２記載の決済システム。
【請求項４】
前記請求管理情報記憶手段に登録されている前記請求管理情報は、更に、収納済みであるか未収納であるかを示す請求情報ステータスを含み、
前記請求管理情報更新手段は、前記決済済み情報検索手段によって検索された前記請求管理情報の前記請求情報ステータスを収納済みに更新し、
前記決済サーバは、
前記請求管理情報更新手段によって前記請求管理情報が更新されたときに、前記請求管理情報に対応する利用者の前記携帯情報端末に対して、前記請求管理情報の前記請求情報ステータスが収納済みに更新されたことを示す通知を送信する収納通知送信手段を更に含み、
前記携帯情報端末は、
前記決済サーバから、前記請求管理情報の前記請求情報ステータスが収納済みに更新されたことを示す通知を受信する収納通知受信手段と、
前記収納通知受信手段によって受信した前記通知が示す前記請求管理情報に対応するコードパターンを前記表示手段に表示させないように制御する表示中止制御手段とを更に含む請求項２記載の決済システム。
【請求項５】
前記請求管理情報記憶手段に登録されている前記請求管理情報は、更に、未表示であるか一覧表示済みであるか詳細表示済みであるかを示す表示ステータスを含み、
前記携帯情報端末は、
前記表示手段に前記コードパターンを表示させる前に、コードパターン表示要求を前記決済サーバへ送信するコードパターン表示要求送信手段を更に含み、
前記決済サーバは、
前記コードパターン情報送信手段によって前記コードパターン情報を前記携帯情報端末へ送信したときに、前記コードパターン情報に対応する前記請求管理情報の表示ステータスを、一覧表示済みに更新し、前記コードパターン表示要求を受信したときに、前記コードパターン表示要求に対応する前記請求管理情報の表示ステータスを、詳細表示済みに更新する表示ステータス更新手段と、
企業側から、前記顧客識別情報及び前記コードパターン情報を含む表示ステータス照会要求を受け付ける表示ステータス照会要求受付手段と、
前記表示ステータス照会要求受付手段によって受け付けた前記表示ステータス照会要求に含まれる前記顧客識別情報及び前記コードパターン情報に対応する前記請求管理情報を、前記請求管理情報記憶手段から検索し、前記検索された前記請求管理情報の表示ステータスを示す情報を、前記企業側へ送信する表示ステータス送信手段とを更に含む、
請求項２〜請求項４の何れか１項記載の決済システム。
【請求項６】
前記利用者情報記憶手段に登録されている前記利用者情報は、更に、アラームを鳴らすアラーム日時を含み、
前記請求管理情報登録手段は、前記第１利用者ＩＤ検索手段で検索された利用者ＩＤと、前記請求情報受付手段によって受け付けた前記コードパターン情報とを対応付けた請求管理情報を、前記請求管理情報記憶手段に登録すると共に、前記利用者ＩＤに対応する前期利用者情報に前記アラーム日時が含まれている場合に、前記利用者ＩＤ及び前記アラーム日時を含むアラーム情報を作成して、前記請求管理情報記憶手段に登録し、
前記決済サーバは、
現在時刻に対応する前記アラーム日時を含む前記アラーム情報を、前記請求管理情報記憶手段から検索し、前記検索された前記アラーム情報の前記利用者ＩＤに対応する前記利用者の前記携帯情報端末へアラーム通知を送信するアラーム通知送信手段を更に含み、
前記携帯情報端末は、
前記決済サーバから前記アラーム通知を受信すると、アラームを鳴らすアラーム共鳴手段を更に含む請求項２〜請求項５の何れか１項記載の決済システム。
【請求項７】
利用者の携帯情報端末毎に登録したサービスＩＤ、パスワード、及びアプリＩＤを含む利用者情報を利用者ＩＤと対応付けて記憶した利用者情報記憶手段を含むコンピュータを、
支払い請求情報を発行する各企業側から、前記利用者のサービスＩＤ及びパスワードと共に、前記企業側で前記利用者を識別するための顧客識別情報の入力を受け付ける顧客識別情報受付手段、
前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段、
各企業側から、前記利用者に対する前記支払い請求情報を示すコードパターン情報及び前記利用者の前記顧客識別情報の入力を受け付ける請求情報受付手段、
前記請求情報受付手段によって受け付けた前記顧客識別情報に対応する利用者ＩＤを、前記利用者情報記憶手段から検索する第１利用者ＩＤ検索手段、
前記第１利用者ＩＤ検索手段で検索された利用者ＩＤと、前記請求情報受付手段によって受け付けた前記コードパターン情報とを対応付けた請求管理情報を作成し、請求管理情報記憶手段に登録する請求管理情報登録手段、
前記携帯情報端末から、サービスＩＤ、パスワード、及びアプリＩＤを認証情報として受け付ける認証情報受付手段、
前記認証情報受付手段によって受け付けた前記認証情報と、前記利用者情報記憶手段に記憶された前記利用者情報とを照合して、認証を行う認証手段、
前記認証手段によって認証が成功した場合、前記利用者情報に対応付けられた利用者ＩＤを含む認証結果情報を、前記携帯情報端末へ送信する認証結果送信手段、
前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段、
前記請求管理情報検索手段によって検索された各請求管理情報に含まれる前記コードパターン情報を、前記携帯情報端末へ送信するコードパターン情報送信手段、
前記コードパターン情報に基づいて前記携帯情報端末に表示されたコードパターン表示を用いて支払い決済を行う決済装置から、前記コードパターン情報を含む収納済み通知を受信すると、前記コードパターン情報を含む前記請求管理情報を、前記請求管理情報記憶手段から検索する決済済み情報検索手段、及び
前記決済済み情報検索手段によって検索された前記請求管理情報を更新する請求管理情報更新手段
として機能させるためのプログラム。
【請求項８】
利用者の携帯情報端末毎に登録したサービスＩＤ、パスワード、及びアプリＩＤを含む利用者情報を利用者ＩＤと対応付けて記憶した利用者情報記憶手段と、
支払い請求情報を発行する各企業側から、前記利用者のサービスＩＤ及びパスワードと共に、前記企業側で前記利用者を識別するための顧客識別情報の入力を受け付ける顧客識別情報受付手段と、
前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段と、
各企業側から、前記利用者に対する前記支払い請求情報及び前記利用者の前記顧客識別情報の入力を受け付ける請求情報受付手段と、
前記請求情報受付手段によって受け付けた前記顧客識別情報に対応する利用者ＩＤを、前記利用者情報記憶手段から検索する第１利用者ＩＤ検索手段と、
前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段と、
前記携帯情報端末から、サービスＩＤ、パスワード、及びアプリＩＤを認証情報として受け付ける認証情報受付手段と、
前記認証情報受付手段によって受け付けた前記認証情報と、前記利用者情報記憶手段に記憶された前記利用者情報とを照合して、認証を行う認証手段と、
前記認証手段によって認証が成功した場合、前記利用者情報に対応付けられた利用者ＩＤを含む認証結果情報を、前記携帯情報端末へ送信する認証結果送信手段と、
前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段と、
前記請求管理情報検索手段によって検索された各請求管理情報に含まれる前記支払い請求情報を、前記携帯情報端末へ送信する支払い請求情報送信手段と、
前記携帯情報端末から無線通信により送信された前記支払い請求情報を用いて支払い決済を行う決済装置から、前記支払い請求情報を含む収納済み通知を受信すると、前記支払い請求情報を含む前記請求管理情報を、前記請求管理情報記憶手段から検索する決済済み情報検索手段と、
前記決済済み情報検索手段によって検索された前記請求管理情報を更新する請求管理情報更新手段と、
を含む決済サーバ。
【請求項９】
請求項８に記載の決済サーバと、
自端末のサービスＩＤ、パスワード、及びアプリＩＤを認証情報として前記決済サーバへ送信する認証情報送信手段、
前記決済サーバから、前記認証情報に対する前記認証結果情報を受信する認証結果受信手段、
前記認証情報による認証が成功した場合、前記認証結果情報に含まれる前記利用者ＩＤを含む請求情報一覧要求を前記決済サーバへ送信する一覧要求送信手段、
前記請求情報一覧要求に対して前記決済サーバから送信される前記支払い請求情報の各々を受信する支払い請求情報受信手段、及び
前記支払い請求情報受信手段によって受信した前記支払い請求情報の各々を、前記決済装置へ無線通信手段に送信させる通信制御手段
を含む携帯情報端末と、
を含む決済システム。
【請求項１０】
利用者の携帯情報端末毎に登録したサービスＩＤ、パスワード、及びアプリＩＤを含む利用者情報を利用者ＩＤと対応付けて記憶した利用者情報記憶手段を含むコンピュータを、
支払い請求情報を発行する各企業側から、前記利用者のサービスＩＤ及びパスワードと共に、前記企業側で前記利用者を識別するための顧客識別情報の入力を受け付ける顧客識別情報受付手段、
前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段、
各企業側から、前記利用者に対する前記支払い請求情報及び前記利用者の前記顧客識別情報の入力を受け付ける請求情報受付手段、
前記請求情報受付手段によって受け付けた前記顧客識別情報に対応する利用者ＩＤを、前記利用者情報記憶手段から検索する第１利用者ＩＤ検索手段、
前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段、
前記携帯情報端末から、サービスＩＤ、パスワード、及びアプリＩＤを認証情報として受け付ける認証情報受付手段、
前記認証情報受付手段によって受け付けた前記認証情報と、前記利用者情報記憶手段に記憶された前記利用者情報とを照合して、認証を行う認証手段、
前記認証手段によって認証が成功した場合、前記利用者情報に対応付けられた利用者ＩＤを含む認証結果情報を、前記携帯情報端末へ送信する認証結果送信手段、
前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段、
前記請求管理情報検索手段によって検索された各請求管理情報に含まれる前記支払い請求情報を、前記携帯情報端末へ送信する支払い請求情報送信手段、
前記携帯情報端末から無線通信により送信された前記支払い請求情報を用いて支払い決済を行う決済装置から、前記支払い請求情報を含む収納済み通知を受信すると、前記支払い請求情報を含む前記請求管理情報を、前記請求管理情報記憶手段から検索する決済済み情報検索手段、及び
前記決済済み情報検索手段によって検索された前記請求管理情報を更新する請求管理情報更新手段
として機能させるためのプログラム。
【発明の詳細な説明】
【技術分野】
【０００１】
本発明は、決済サーバ、決済システム、及びプログラムに係り、特に、企業が発行する支払い請求情報の決済を行う決済サーバ、決済システム、及びプログラムに関する。
【背景技術】
【０００２】
従来より、決済情報を受信し、コードパターンを表示する携帯端末装置と、決済情報を保持し、当該決済情報を携帯端末装置に送信する決済サーバと、コードパターンを読み取り、読み取ったコードパターンに基づいて決済情報を復号し、請求金額を表示する決済装置により、決済を行わせる決済システムが知られている（特許文献１）。この決済システムは、携帯端末装置から送信される決済要求情報に基づいて、保持している決済情報から対象の決済情報を読み出して携帯端末装置に送信する決済情報送信手段と、前記決済情報送信手段が送信した決済情報を取得する決済情報取得手段と、前記決済情報取得手段が取得した決済情報を、コードパターンを規定するコード情報に変換するコード変換手段と、前記コード変換手段が変換したコード情報に基づいて、コードパターンを表示するパターン表示手段と、前記パターン表示手段が表示したコードパターンを読み取り、決済情報を復号する決済情報復号手段と、前記決済情報復号手段が復号した決済情報のみに基づいて、当該決済における請求金額を算出し、表示を行う金額表示手段と、を備えている。
【先行技術文献】
【特許文献】
【０００３】
【特許文献１】特許第３４９４６１３号公報
【発明の概要】
【発明が解決しようとする課題】
【０００４】
しかしながら、上記の特許文献１に記載の技術では、１つの決済情報ごとに、携帯端末装置から決済要求情報を送信して、決済サーバから取得した決済情報をコード情報に変換してコードパターンを表示しているため、複数の企業からの支払い請求がある場合には、一つずつ決済情報を取得してコード変換する必要があり、利便性が低い、という問題がある。
【０００５】
本発明は、上記の問題点を解決するためになされたもので、複数の企業からの支払い請求がある場合であっても、携帯情報端末を用いて簡易に支払いを行うことができる決済サーバ、決済システム、及びプログラムを提供することを目的とする。
【課題を解決するための手段】
【０００６】
上記の目的を達成するために第１の発明に係る決済サーバは、利用者の携帯情報端末毎に登録したサービスＩＤ、パスワード、及びアプリＩＤを含む利用者情報を利用者ＩＤと対応付けて記憶した利用者情報記憶手段と、支払い請求情報を発行する各企業側から、前記利用者のサービスＩＤ及びパスワードと共に、前記企業側で前記利用者を識別するための顧客識別情報の入力を受け付ける顧客識別情報受付手段と、前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段と、各企業側から、前記利用者に対する前記支払い請求情報を示すコードパターン情報及び前記利用者の前記顧客識別情報の入力を受け付ける請求情報受付手段と、前記請求情報受付手段によって受け付けた前記顧客識別情報に対応する利用者ＩＤを、前記利用者情報記憶手段から検索する第１利用者ＩＤ検索手段と、前記第１利用者ＩＤ検索手段で検索された利用者ＩＤと、前記請求情報受付手段によって受け付けた前記コードパターン情報とを対応付けた請求管理情報を作成し、請求管理情報記憶手段に登録する請求管理情報登録手段と、前記携帯情報端末から、サービスＩＤ、パスワード、及びアプリＩＤを認証情報として受け付ける認証情報受付手段と、前記認証情報受付手段によって受け付けた前記認証情報と、前記利用者情報記憶手段に記憶された前記利用者情報とを照合して、認証を行う認証手段と、前記認証手段によって認証が成功した場合、前記利用者情報に対応付けられた利用者ＩＤを含む認証結果情報を、前記携帯情報端末へ送信する認証結果送信手段と、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段と、前記請求管理情報検索手段によって検索された各請求管理情報に含まれる前記コードパターン情報を、前記携帯情報端末へ送信するコードパターン情報送信手段と、前記コードパターン情報に基づいて前記携帯情報端末に表示されたコードパターン表示を用いて支払い決済を行う決済装置から、前記コードパターン情報を含む収納済み通知を受信すると、前記コードパターン情報を含む前記請求管理情報を、前記請求管理情報記憶手段から検索する決済済み情報検索手段と、前記決済済み情報検索手段によって検索された前記請求管理情報を更新する請求管理情報更新手段とを含んで構成されている。
【０００７】
第２の発明に係るプログラムは、利用者の携帯情報端末毎に登録したサービスＩＤ、パスワード、及びアプリＩＤを含む利用者情報を利用者ＩＤと対応付けて記憶した利用者情報記憶手段を含むコンピュータを、支払い請求情報を発行する各企業側から、前記利用者のサービスＩＤ及びパスワードと共に、前記企業側で前記利用者を識別するための顧客識別情報の入力を受け付ける顧客識別情報受付手段、前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段、各企業側から、前記利用者に対する前記支払い請求情報を示すコードパターン情報及び前記利用者の前記顧客識別情報の入力を受け付ける請求情報受付手段、前記請求情報受付手段によって受け付けた前記顧客識別情報に対応する利用者ＩＤを、前記利用者情報記憶手段から検索する第１利用者ＩＤ検索手段、前記第１利用者ＩＤ検索手段で検索された利用者ＩＤと、前記請求情報受付手段によって受け付けた前記コードパターン情報とを対応付けた請求管理情報を作成し、請求管理情報記憶手段に登録する請求管理情報登録手段、前記携帯情報端末から、サービスＩＤ、パスワード、及びアプリＩＤを認証情報として受け付ける認証情報受付手段、前記認証情報受付手段によって受け付けた前記認証情報と、前記利用者情報記憶手段に記憶された前記利用者情報とを照合して、認証を行う認証手段、前記認証手段によって認証が成功した場合、前記利用者情報に対応付けられた利用者ＩＤを含む認証結果情報を、前記携帯情報端末へ送信する認証結果送信手段、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段、前記請求管理情報検索手段によって検索された各請求管理情報に含まれる前記コードパターン情報を、前記携帯情報端末へ送信するコードパターン情報送信手段、前記コードパターン情報に基づいて前記携帯情報端末に表示されたコードパターン表示を用いて支払い決済を行う決済装置から、前記コードパターン情報を含む収納済み通知を受信すると、前記コードパターン情報を含む前記請求管理情報を、前記請求管理情報記憶手段から検索する決済済み情報検索手段、及び前記決済済み情報検索手段によって検索された前記請求管理情報を更新する請求管理情報更新手段として機能させるためのプログラムである。
【０００８】
第１の発明及び第２の発明によれば、顧客識別情報受付手段によって、支払い請求情報を発行する各企業側から、前記利用者のサービスＩＤ及びパスワードと共に、前記企業側で前記利用者を識別するための顧客識別情報の入力を受け付ける。顧客情報登録手段によって、前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する。
【０００９】
そして、請求情報受付手段によって、各企業側から、前記利用者に対する前記支払い請求情報を示すコードパターン情報及び前記利用者の前記顧客識別情報の入力を受け付ける。第１利用者ＩＤ検索手段によって、前記請求情報受付手段によって受け付けた前記顧客識別情報に対応する利用者ＩＤを、前記利用者情報記憶手段から検索する。請求管理情報登録手段によって、前記第１利用者ＩＤ検索手段で検索された利用者ＩＤと、前記請求情報受付手段によって受け付けた前記コードパターン情報とを対応付けた請求管理情報を作成し、請求管理情報記憶手段に登録する。
【００１０】
そして、認証情報受付手段によって、前記携帯情報端末から、サービスＩＤ、パスワード、及びアプリＩＤを認証情報として受け付ける。認証手段によって、前記認証情報受付手段によって受け付けた前記認証情報と、前記利用者情報記憶手段に記憶された前記利用者情報とを照合して、認証を行う。認証結果送信手段によって、前記認証手段によって認証が成功した場合、前記利用者情報に対応付けられた利用者ＩＤを含む認証結果情報を、前記携帯情報端末へ送信する。
【００１１】
そして、請求管理情報検索手段によって、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する。コードパターン情報送信手段によって、前記請求管理情報検索手段によって検索された各請求管理情報に含まれる前記コードパターン情報を、前記携帯情報端末へ送信する。
【００１２】
そして、決済済み情報検索手段によって、前記コードパターン情報に基づいて前記携帯情報端末に表示されたコードパターン表示を用いて支払い決済を行う決済装置から、前記コードパターン情報を含む収納済み通知を受信すると、前記コードパターン情報を含む前記請求管理情報を、前記請求管理情報記憶手段から検索する。請求管理情報更新手段によって、前記決済済み情報検索手段によって検索された前記請求管理情報を更新する。
【００１３】
このように、複数の企業からの支払い請求がある場合であっても、携帯情報端末を用いて簡易に支払いを行うことができる。
【００１４】
第３の発明に係る決済システムは、上記の決済サーバと、自端末のサービスＩＤ、パスワード、及びアプリＩＤを認証情報として前記決済サーバへ送信する認証情報送信手段、前記決済サーバから、前記認証情報に対する前記認証結果情報を受信する認証結果受信手段、前記認証情報による認証が成功した場合、前記認証結果情報に含まれる前記利用者ＩＤを含む請求情報一覧要求を前記決済サーバへ送信する一覧要求送信手段、前記請求情報一覧要求に対して前記決済サーバから送信される前記コードパターン情報の各々を受信するコードパターン情報受信手段、及び前記コードパターン情報受信手段によって受信した前記コードパターン情報の各々をコードパターンに変換して、表示手段に前記コードパターンを表示させる表示制御手段を含む携帯情報端末と、を含んで構成されている。
【００１５】
第４の発明に係る決済サーバは、利用者の携帯情報端末毎に登録したサービスＩＤ、パスワード、及びアプリＩＤを含む利用者情報を利用者ＩＤと対応付けて記憶した利用者情報記憶手段と、支払い請求情報を発行する各企業側から、前記利用者のサービスＩＤ及びパスワードと共に、前記企業側で前記利用者を識別するための顧客識別情報の入力を受け付ける顧客識別情報受付手段と、前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段と、各企業側から、前記利用者に対する前記支払い請求情報及び前記利用者の前記顧客識別情報の入力を受け付ける請求情報受付手段と、前記請求情報受付手段によって受け付けた前記顧客識別情報に対応する利用者ＩＤを、前記利用者情報記憶手段から検索する第１利用者ＩＤ検索手段と、前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段と、前記携帯情報端末から、サービスＩＤ、パスワード、及びアプリＩＤを認証情報として受け付ける認証情報受付手段と、前記認証情報受付手段によって受け付けた前記認証情報と、前記利用者情報記憶手段に記憶された前記利用者情報とを照合して、認証を行う認証手段と、前記認証手段によって認証が成功した場合、前記利用者情報に対応付けられた利用者ＩＤを含む認証結果情報を、前記携帯情報端末へ送信する認証結果送信手段と、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段と、前記請求管理情報検索手段によって検索された各請求管理情報に含まれる前記支払い請求情報を、前記携帯情報端末へ送信する支払い請求情報送信手段と、前記携帯情報端末から無線通信により送信された前記支払い請求情報を用いて支払い決済を行う決済装置から、前記支払い請求情報を含む収納済み通知を受信すると、前記支払い請求情報を含む前記請求管理情報を、前記請求管理情報記憶手段から検索する決済済み情報検索手段と、前記決済済み情報検索手段によって検索された前記請求管理情報を更新する請求管理情報更新手段と、を含んで構成されている。
【００１６】
第５の発明に係るプログラムは、利用者の携帯情報端末毎に登録したサービスＩＤ、パスワード、及びアプリＩＤを含む利用者情報を利用者ＩＤと対応付けて記憶した利用者情報記憶手段を含むコンピュータを、支払い請求情報を発行する各企業側から、前記利用者のサービスＩＤ及びパスワードと共に、前記企業側で前記利用者を識別するための顧客識別情報の入力を受け付ける顧客識別情報受付手段、前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する顧客情報登録手段、各企業側から、前記利用者に対する前記支払い請求情報及び前記利用者の前記顧客識別情報の入力を受け付ける請求情報受付手段、前記請求情報受付手段によって受け付けた前記顧客識別情報に対応する利用者ＩＤを、前記利用者情報記憶手段から検索する第１利用者ＩＤ検索手段、前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する請求管理情報登録手段、前記携帯情報端末から、サービスＩＤ、パスワード、及びアプリＩＤを認証情報として受け付ける認証情報受付手段、前記認証情報受付手段によって受け付けた前記認証情報と、前記利用者情報記憶手段に記憶された前記利用者情報とを照合して、認証を行う認証手段、前記認証手段によって認証が成功した場合、前記利用者情報に対応付けられた利用者ＩＤを含む認証結果情報を、前記携帯情報端末へ送信する認証結果送信手段、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する請求管理情報検索手段、前記請求管理情報検索手段によって検索された各請求管理情報に含まれる前記支払い請求情報を、前記携帯情報端末へ送信する支払い請求情報送信手段、前記携帯情報端末から無線通信により送信された前記支払い請求情報を用いて支払い決済を行う決済装置から、前記支払い請求情報を含む収納済み通知を受信すると、前記支払い請求情報を含む前記請求管理情報を、前記請求管理情報記憶手段から検索する決済済み情報検索手段、及び前記決済済み情報検索手段によって検索された前記請求管理情報を更新する請求管理情報更新手段として機能させるためのプログラムである。
【００１７】
第４の発明及び第５の発明によれば、顧客識別情報受付手段によって、支払い請求情報を発行する各企業側から、前記利用者のサービスＩＤ及びパスワードと共に、前記企業側で前記利用者を識別するための顧客識別情報の入力を受け付ける。顧客情報登録手段によって、前記顧客識別受付手段によって受け付けた前記顧客識別情報を、前記利用者情報記憶手段に記憶され、かつ、前記顧客識別情報と共に入力されたサービスＩＤ及びパスワードを含む前記利用者情報に登録する。
【００１８】
そして、請求情報受付手段によって、各企業側から、前記利用者に対する前記支払い請求情報及び前記利用者の前記顧客識別情報の入力を受け付ける。第１利用者ＩＤ検索手段によって、前記請求情報受付手段によって受け付けた前記顧客識別情報に対応する利用者ＩＤを、前記利用者情報記憶手段から検索する。請求管理情報登録手段によって、前記第１利用者ＩＤ検索手段で検索された利用者ＩＤと、前記請求情報受付手段によって受け付けた前記支払い請求情報とを対応付けた請求管理情報を作成し、請求管理情報記憶手段に登録する。
【００１９】
そして、認証情報受付手段によって、前記携帯情報端末から、サービスＩＤ、パスワード、及びアプリＩＤを認証情報として受け付ける。認証手段によって、前記認証情報受付手段によって受け付けた前記認証情報と、前記利用者情報記憶手段に記憶された前記利用者情報とを照合して、認証を行う。認証結果送信手段によって、前記認証手段によって認証が成功した場合、前記利用者情報に対応付けられた利用者ＩＤを含む認証結果情報を、前記携帯情報端末へ送信する。
【００２０】
そして、請求管理情報検索手段によって、前記認証手段によって認証が成功した前記携帯情報端末から、前記利用者ＩＤを含む請求情報一覧要求を受け付けると、前記利用者ＩＤに対応する前記請求管理情報を、前記請求管理情報記憶手段から全て検索する。支払い請求情報送信手段によって、前記請求管理情報検索手段によって検索された各請求管理情報に含まれる前記支払い請求情報を、前記携帯情報端末へ送信する。
【００２１】
そして、決済済み情報検索手段によって、前記携帯情報端末から無線通信により送信された前記支払い請求情報を用いて支払い決済を行う決済装置から、前記支払い請求情報を含む収納済み通知を受信すると、前記支払い請求情報を含む前記請求管理情報を、前記請求管理情報記憶手段から検索する。請求管理情報更新手段によって、前記決済済み情報検索手段によって検索された前記請求管理情報を更新する。
【００２２】
このように、複数の企業からの支払い請求がある場合であっても、携帯情報端末を用いて簡易に支払いを行うことができる。
【００２３】
第６の発明に係る決済システムは、上記第４の発明に係る決済サーバと、自端末のサービスＩＤ、パスワード、及びアプリＩＤを認証情報として前記決済サーバへ送信する認証情報送信手段、前記決済サーバから、前記認証情報に対する前記認証結果情報を受信する認証結果受信手段、前記認証情報による認証が成功した場合、前記認証結果情報に含まれる前記利用者ＩＤを含む請求情報一覧要求を前記決済サーバへ送信する一覧要求送信手段、前記請求情報一覧要求に対して前記決済サーバから送信される前記支払い請求情報の各々を受信する支払い請求情報受信手段、及び前記支払い請求情報受信手段によって受信した前記支払い請求情報の各々を、前記決済装置へ無線通信手段に送信させる通信制御手段を含む携帯情報端末と、を含んで構成されている。
【００２４】
第６の発明に係る決済システムにおいて、前記請求管理情報記憶手段に登録されている前記請求管理情報は、更に、収納済みであるか未収納であるかを示す請求情報ステータスを含み、前記請求管理情報更新手段は、前記決済済み情報検索手段によって検索された前記請求管理情報の前記請求情報ステータスを収納済みに更新し、前記決済サーバは、前記携帯情報端末から、前記請求情報ステータスの確認要求を受け付ける確認要求受付手段と、前記請求管理情報記憶手段から、前記確認要求受付手段によって受け付けた前記確認要求の対象となる前記請求情報ステータスを示す情報を取得し、前記携帯情報端末へ送信する請求情報ステータス送信手段とを更に含み、前記携帯情報端末は、前記通信制御手段によって無線通信手段に前記支払い請求情報を送信させているときに、所定間隔で、前記送信している支払い請求情報に対応する前記請求情報ステータスの確認要求を、前記決済サーバへ送信する確認要求送信手段と、前記確認要求送信手段によって送信した前記確認要求に対する前記請求情報ステータスを示す情報を前記決済サーバから受信する請求情報ステータス受信手段と、前記請求情報ステータス受信手段によって受信した前記請求情報ステータスを示す情報が、収納済みを示す情報である場合、前記請求情報ステータスに対応する支払い請求情報を前記無線通信手段に送信させないように制御する通信中止制御手段とを更に含むようにすることができる。
【００２５】
また、上記第６の発明に係る決済システムにおいて、前記請求管理情報記憶手段に登録されている前記請求管理情報は、更に、収納済みであるか未収納であるかを示す請求情報ステータスを含み、前記請求管理情報更新手段は、前記決済済み情報検索手段によって検索された前記請求管理情報の前記請求情報ステータスを収納済みに更新し、前記決済サーバは、前記請求管理情報更新手段によって前記請求管理情報が更新されたときに、前記請求管理情報に対応する利用者の前記携帯情報端末に対して、前記請求管理情報の前記請求情報ステータスが収納済みに更新されたことを示す通知を送信する収納通知送信手段を更に含み、前記携帯情報端末は、前記決済サーバから、前記請求管理情報の前記請求情報ステータスが収納済みに更新されたことを示す通知を受信する収納通知受信手段と、前記収納通知受信手段によって受信した前記通知が示す前記請求管理情報に対応する支払い請求情報を前記無線通信手段に送信させないように制御する通信中止制御手段とを更に含むようにすることができる。
【００２６】
上記第６の発明に係る決済システムにおいて、前記請求管理情報記憶手段に登録されている前記請求管理情報は、更に、未表示であるか一覧表示済みであるか詳細表示済みであるかを示す表示ステータスを含み、前記携帯情報端末は、前記無線通信手段に前記支払い請求情報を送信させる前に、支払い要求を前記決済サーバへ送信する支払い要求送信手段を更に含み、前記決済サーバは、前記支払い請求情報送信手段によって前記支払い請求情報を前記携帯情報端末へ送信したときに、前記支払い請求情報に対応する前記請求管理情報の表示ステータスを、一覧表示済みに更新し、前記支払い要求を受信したときに、前記支払い要求に対応する前記請求管理情報の表示ステータスを、詳細表示済みに更新する表示ステータス更新手段と、企業側から、前記顧客識別情報及び前記支払い請求情報を含む表示ステータス照会要求を受け付ける表示ステータス照会要求受付手段と、前記表示ステータス照会要求受付手段によって受け付けた前記表示ステータス照会要求に含まれる前記顧客識別情報及び前記支払い請求情報に対応する前記請求管理情報を、前記請求管理情報記憶手段から検索し、前記検索された前記請求管理情報の表示ステータスを示す情報を、前記企業側へ送信する表示ステータス送信手段とを更に含むようにすることができる。
【００２７】
上記第６の発明に係る決済システムは、前記利用者情報記憶手段に登録されている前記利用者情報は、更に、アラームを鳴らすアラーム日時を含み、前記請求管理情報登録手段は、前記第１利用者ＩＤ検索手段で検索された利用者ＩＤと、前記請求情報受付手段によって受け付けた前記支払い請求情報とを対応付けた請求管理情報を、前記請求管理情報記憶手段に登録すると共に、前記利用者ＩＤに対応する前期利用者情報に前記アラーム日時が含まれている場合に、前記利用者ＩＤ及び前記アラーム日時を含むアラーム情報を作成して、前記請求管理情報記憶手段に登録し、前記決済サーバは、現在時刻に対応する前記アラーム日時を含む前記アラーム情報を、前記請求管理情報記憶手段から検索し、前記検索された前記アラーム情報の前記利用者ＩＤに対応する前記利用者の前記携帯情報端末へアラーム通知を送信するアラーム通知送信手段を更に含み、前記携帯情報端末は、前記決済サーバから前記アラーム通知を受信すると、アラームを鳴らすアラーム共鳴手段を更に含むようにすることができる。
【００２８】
本発明のプログラムは、記憶媒体に格納して提供することができる。
【発明の効果】
【００２９】
以上説明したように、本発明の決済サーバ、決済システム、及びプログラムによれば、複数の企業からの支払い請求がある場合であっても、携帯情報端末を用いて簡易に支払いを行うことができる、という効果が得られる。
【図面の簡単な説明】
【００３０】
【図１】本発明の第１の実施の形態に係る決済システムの構成を示す概略図である。
【図２】本発明の第１の実施の形態に係る決済システムの携帯情報端末の構成を示すブロック図である。
【図３】本発明の第１の実施の形態に係る決済システムのバーコードセンター側サーバの構成を示すブロック図である。
【図４】初期設定から支払い完了までの処理の概要を説明するための図である。
【図５】バーコード情報の一例を示す図である。
【図６】本発明の第１の実施の形態に係るバーコードセンター側サーバの請求情報登録処理ルーチンの内容を示すフローチャートである。
【図７】複数の企業から、請求情報が登録される様子を示すイメージ図である。
【図８】本発明の第１の実施の形態に係る携帯情報端末の請求情報表示処理ルーチンの内容を示すフローチャートである。
【図９】本発明の第１の実施の形態に係るバーコードセンター側サーバの請求情報提供処理ルーチンの内容を示すフローチャートである。
【図１０】表示ステータスが更新される様子を示すイメージ図である。
【図１１】携帯情報端末の表示部にバーコード及び詳細情報を表示した様子を示すイメージ図である。
【図１２】本発明の第１の実施の形態に係るバーコードセンター側サーバのリアルタイム通知時処理ルーチンの内容を示すフローチャートである。
【図１３】アラーム設定からアラーム共鳴までの処理の概要を示す図である。
【図１４】本発明の第２の実施の形態に係る決済システムの処理の概要を示す図である。
【図１５】本発明の第３の実施の形態に係る決済システムの処理の概要を示す図である。
【図１６】本発明の第４の実施の形態に係る決済システムにおけるアラーム設定からアラーム共鳴までの処理の概要を示す図である。
【図１７】本発明の第５の実施の形態に係る決済システムの構成を示す概略図である。
【図１８】本発明の第５の実施の形態に係る決済システムの携帯情報端末の構成を示すブロック図である。
【図１９】本発明の第５の実施の形態に係る携帯情報端末の請求情報表示処理ルーチンの内容を示すフローチャートである。
【図２０】本発明の第５の実施の形態に係るセンター側サーバの請求情報提供処理ルーチンの内容を示すフローチャートである。
【図２１】本発明の第５の実施の形態に係るセンター側サーバのリアルタイム通知時処理ルーチンの内容を示すフローチャートである。
【発明を実施するための形態】
【００３１】
以下、図面を参照して本発明の実施の形態を詳細に説明する。
【００３２】
図１に示すように、第１の実施の形態に係る決済システム１０は、利用者が操作する携帯情報端末１２と、携帯情報端末１２にインストールするアプリケーションソフトを配信するサイトを提供するＷｅｂサーバ１４と、バーコードセンター側サーバ１６と、企業側に設置される企業側端末１８と、コンビニエンスストアに設置されるコンビニエンスストア設備２０と、ネットワーク用サーバ２２とを備えている。なお、バーコードセンター側サーバ１６が、決済サーバの一例である。
【００３３】
携帯情報端末１２、Ｗｅｂサーバ１４、バーコードセンター側サーバ１６、及び企業側端末１８は、インターネットなどのネットワーク２４を介して接続されている。また、ネットワーク用サーバ２２とコンビニエンスストア設備２０とは、回線２６を介して接続されており、バーコードセンター側サーバ１６とネットワーク用サーバ２２とは、ＬＡＮなどのネットワーク２８を介して接続されている。
【００３４】
コンビニエンスストア設備２０は、バーコードリーダ３２と、ＰＯＳレジスタ３４と、決済コントローラ３６とを備えている。
【００３５】
バーコードリーダ３２は、ＰＯＳレジスタ３４に予め接続され、例えば、光源としてのＬＥＤ（Light Emitting Diode）光をバーコードパターンに照射し、その反射光をＣＣＤ（Charge Coupled Device）イメージセンサにて受信することによりバーコードパターン情報を取得する。そして、取得したバーコードパターン情報を、デコード回路により支払い金額を含むバーコード情報にデコードし、デコードしたバーコード情報を接続されたＰＯＳレジスタ３４に供給する。
【００３６】
ＰＯＳ（Point Of Sales）レジスタ３４は、コンビニエンスストア設備２０に備えられた販売時点情報管理を行う端末であり、接続されたバーコードリーダ３２を介して取得した支払い金額を表示する。利用者からの支払いが行われると、バーコード情報を含む収納済み通知を決済コントローラ３６に供給する。
【００３７】
決済コントローラ３６は、所定のストアコントローラ等からなり、回線２６を介して、ネットワーク用サーバ２２と接続する。決済コントローラ３６は、ＰＯＳレジスタ３４から送られたバーコード情報を含む収納済み通知をリアルタイムでネットワーク用サーバ２２に供給する。
【００３８】
ネットワーク用サーバ２２は、決済コントローラ３６から通知された収納済み通知を、企業側にリアルタイムに通知すると共に、バーコードセンター側サーバ１６にリアルタイムに通知する。
【００３９】
携帯情報端末１２は、携帯電話、ＰＤＡ（Personal Digital Assistants）端末、あるいはノート型・ブック型コンピュータ端末等からなる。なお、携帯情報端末１２を、スマートフォンを一例として以下、説明する。携帯情報端末１２は、図２に示すように、通信部４０と、制御部４２と、表示部４４とを含んで構成されている。
【００４０】
通信部４０は、ネットワーク２４を介した通信を行う。表示部４４は、例えば、タッチパネルディスプレイからなり、所定のメニュー画面を表示するだけでなく、後述するバーコード情報に従って、所定のバーコードパターンを表示する。また、表示部４４により、利用者からの指示情報等を入力する。例えば、表示部４４に対する利用者の操作に従って、ＩＤ，パスワード等を入力する。
【００４１】
制御部４２は、ＣＰＵ、ＲＯＭ、ＲＡＭ、及びＨＤＤを備えたコンピュータで構成されており、ＨＤＤには、Ｗｅｂサーバ１４が提供するサイトからダウンロードし、かつ、インストールした、後述する請求情報表示処理ルーチンを含むアプリケーションソフトが記憶されている。制御部４２は、機能的には次に示すように構成されている。制御部４２は、登録設定部４６、請求履歴表示制御部４８、バーコード表示制御部５０、及びアラーム共鳴部５２を備えている。
【００４２】
登録設定部４６は、バーコードセンター側サーバ１６に対して初期登録（パスワードの登録）を行い、バーコードセンター側サーバ１６から付与されたサービスＩＤ及びアプリＩＤを自端末に設定する。
【００４３】
請求履歴表示制御部４８は、サービスＩＤ、パスワード、及びアプリＩＤを用いた認証を行い、請求情報または支払い履歴情報をバーコードセンター側サーバ１６から取得し、請求情報または支払い履歴情報の一覧を表示部４４に表示させる。
【００４４】
バーコード表示制御部５０は、バーコードセンター側サーバ１６から取得した請求情報に含まれるバーコード情報を、バーコードにコード変換して、バーコードを表示部４４に表示させる。
【００４５】
アラーム共鳴部５２は、アラーム設定情報を、バーコードセンター側サーバ１６へ送信すると共に、バーコードセンター側サーバ１６から通知されるアラーム起動通知に従って、スピーカ（図示省略）又は表示部４４を用いてアラーム共鳴を行う。
【００４６】
企業側端末１８は、支払い請求情報を発行する各企業側に設置されたコンピュータであり、バーコードセンター側サーバ１６が提供するサイトにアクセスし、オペレータの操作により、当該企業に対して支払いが生じる利用者の利用者情報を登録する。
【００４７】
また、企業側端末１８は、バーコードセンター側サーバ１６が提供するサイトにアクセスし、オペレータの操作により、当該利用者に対する請求情報を登録する。
【００４８】
バーコードセンター側サーバ１６は、ＣＰＵ、ＲＯＭ、ＲＡＭ、及びＨＤＤを備えたコンピュータで構成されており、ＨＤＤには、後述する請求情報登録処理ルーチン、請求情報提供処理ルーチン、及びリアルタイム通知時処理ルーチンの各々に対するプログラムが記憶されている。
【００４９】
バーコードセンター側サーバ１６は、機能的には次に示すように構成されている。図３に示すように、バーコードセンター側サーバ１６は、通信部５６、回線通信部５８、及び制御部６０を備えている。制御部６０は、企業側情報受付部６２、端末側情報受付部６４、利用者情報登録部６６、利用者情報データベース６８、アラーム登録部７０、顧客情報登録部７２、請求情報登録部７４、請求情報データベース７６、請求管理情報登録部７８、請求管理情報データベース８０、照会管理部８２、認証部８４、検索部８６、アラーム管理部８８、リアルタイム通知受付部９０、通知時検索部９２、及び収納済更新部９４を備えている。
【００５０】
企業側情報受付部６２は、通信部５６により受信した、企業側端末１８から送信された情報又は要求を受け付ける。端末側情報受付部６４は、通信部５６により受信した、携帯情報端末１２から送信された情報又は要求を受け付ける。
【００５１】
利用者情報登録部６６は、携帯情報端末１２にWebサーバ１４からのアプリケーションソフトがインストールされるときに当該携帯情報端末１２から送信された初期設定情報（パスワード）に対して、サービスID、アプリＩＤ、及び利用者IDを付与して、利用者情報として、利用者情報データベース６８に登録する。
【００５２】
アラーム登録部７０は、当該携帯情報端末１２から送信された、請求情報の支払い期限に対するアラーム日時を、利用者情報データベース６８の該当する利用者情報に登録する。
【００５３】
顧客情報登録部７２は、企業側端末１８から送信された、利用者のサービスID及びパスワードに基づいて、利用者情報データベース６８の該当する利用者情報を検索し、当該利用者情報に、送信された顧客番号を登録する。
【００５４】
請求情報登録部７４は、企業側端末１８から送信された、請求情報（顧客番号、金額、商品、バーコード情報等）を、請求情報データベース７６に登録する。
【００５５】
請求管理情報登録部７８は、請求情報データベース７６に登録された請求情報（顧客番号、金額、商品、バーコード情報等）の顧客番号に基づいて、利用者情報データベース６８の該当する利用者情報を検索し、当該利用者情報の利用者IDと当該請求情報とを対応付けた請求管理情報を作成して、請求管理情報データベース８０に登録する。また、請求管理情報登録部７８は、該当する利用者情報にアラーム日時が設定されている場合、利用者ＩＤ、顧客番号、バーコード情報、及びアラーム日時を含むアラーム情報を作成して、請求管理情報データベース８０に登録する。
【００５６】
照会管理部８２は、企業側端末１８から送信された、請求情報ステータス確認要求に基づいて、請求管理情報データベース８０から該当する請求情報ステータスを取得し、当該企業側端末１８へ、取得した請求情報ステータスを通信部５６により送信させる。
【００５７】
認証部８４は、携帯情報端末１２から送信された、利用者のサービスID、パスワード、及びアプリIDと、利用者情報データベース６８の利用者情報とを照合して、認証を行い、当該携帯情報端末１２へ、認証結果を通信部５６により送信させる。
【００５８】
検索部８６は、携帯情報端末１２から送信された、利用者IDを含む請求情報一覧要求に基づいて、請求管理情報データベース８０から該当する請求管理情報であって、かつ、請求情報ステータスが「未収納」の請求管理情報を検索し、当該携帯情報端末１２へ、検索結果を通信部５６により送信させる。
【００５９】
また、検索部８６は、携帯情報端末１２から送信された、請求IDを含むバーコード要求に基づいて、請求管理情報データベース８０から該当する請求管理情報を検索して、請求ステータスが「未収納」であるか否かを確認し、当該携帯情報端末１２へ、確認結果を通信部５６により送信させる。
【００６０】
アラーム管理部８８は、現時刻がアラーム日時に該当するアラーム情報を、請求管理情報データベース８０から検索して、該当するアラーム情報が検索された場合、アラーム情報に基づいて、該当する携帯情報端末１２へ、アラーム起動通知を通信部５６により送信させる。
【００６１】
リアルタイム通知受付部９０は、回線通信部５８により受信した、ネットワーク用サーバ２２から送信された収納済み通知を受け付ける。
【００６２】
通知時検索部９２は、リアルタイム通知受付部９０による受け付けた収納済み通知に対応する請求管理情報を、請求管理情報データベース８０から検索する。収納済更新部９４は、通知時検索部９２により検索された請求管理情報の請求ステータスを、「収納済」に更新する。
【００６３】
次に、第１の実施の形態に係る決済システム１０の作用について説明する。
【００６４】
まず、利用者が、携帯情報端末１２を操作して、Webサーバ１４からアプリケーションソフトをダウンロードして携帯情報端末１２にインストールすると、携帯情報端末１２の表示部４４に、初期設定画面が表示される。利用者が、携帯情報端末１２を操作して、パスワードを入力すると、携帯情報端末１２から、初期設定情報（サービスID（ブランク）、パスワード、及びアプリID（ブランク））が、バーコードセンター側サーバ１６へ送信される（図４の（１）参照）。
【００６５】
バーコードセンター側サーバ１６では、受信した初期設定情報のアプリIDを、利用者情報データベース６８から検索し、存在しない場合、サービスＩＤ、アプリID、及び利用者IDを付与して、サービスID、パスワード、利用者ID、及びアプリIDを含む利用者情報を、利用者情報データベース６８へ登録する（図４の（２）参照）。
【００６６】
そして、バーコードセンター側サーバ１６から付与された、サービスID及びアプリIDが、当該携帯情報端末１２へ送信され（図４の（３）参照）、当該携帯情報端末１２において、送信された、サービスID及びアプリＩＤを自端末に設定する（図４の（４）参照）。
【００６７】
利用者は、契約している企業に対して、当該アプリケーションソフトを用いたバーコード決済サービスを利用するために、上記のサービスＩＤ及びパスワードを通知する。また、利用者は、アラーム設定を行う場合には、利用者が、携帯情報端末１２を操作して、アラーム設定情報（Ｎ日前と共鳴時刻）を入力すると、携帯情報端末１２から、アラーム設定情報が、バーコードセンター側サーバ１６へ送信される（図１３の（１）参照）。バーコードセンター側サーバ１６は、携帯情報端末１２から送信されたアラーム設定情報を、該当する利用者情報に登録する（図１３の（２）参照）。
【００６８】
企業側端末１８では、オペレータが操作することにより、利用者から通知されたサービスＩＤ及びパスワードと、当該企業の企業コードと、当該企業において利用者を識別するために独自に付与した顧客番号とを含む顧客情報が入力されると、企業側端末１８から、入力された顧客情報が、バーコードセンター側サーバ１６へ送信される（図４の（５）参照）。
【００６９】
バーコードセンター側サーバ１６では、受信した顧客情報のサービスＩＤ及びパスワードを、利用者情報データベース６８の利用者情報と照合し、照合された利用者情報に対して、顧客情報の顧客番号及び企業コードを登録する（図４参照）。
【００７０】
企業側端末１８では、オペレータが操作することにより、顧客番号、各種の詳細情報、及びバーコード情報を含む請求情報が入力されると、企業側端末１８から、入力された請求情報が、バーコードセンター側サーバ１６へ送信される（図４の（６）参照）。
【００７１】
ここで、請求情報のバーコード情報は、図５に示す各種情報を示す数字の列である。
【００７２】
バーコードセンター側サーバ１６は、企業側端末１８から送信された請求情報を受信すると、図６に示す請求情報登録処理ルーチンを実行する。
【００７３】
ステップ１００では、企業側端末１８から送信された請求情報を受け付けたか否かを判定し、請求情報を受け付けると、ステップ１０２へ進み、受け付けた請求情報に含まれる顧客番号に該当する利用者情報を、利用者情報データベース６８から検索する。
【００７４】
次のステップ１０４では、上記ステップ１０２で検索した利用者情報の利用者ＩＤを、当該請求情報に付与した請求管理情報を作成する。そして、ステップ１０６において、作成した請求管理情報を、請求管理情報データベース８０に登録する。このとき、初期値として、請求管理情報の表示ステータスを、「未表示」とし、請求情報ステータスを、「未収納」とする。
【００７５】
次のステップ１０８では、上記ステップ１０２で検索した利用者情報に、アラーム日時が設定されているか否かを判定する。アラーム日時が設定されていない場合、請求情報登録処理ルーチンを終了する。一方、アラーム日時が設定されている場合、ステップ１１０において、設定されているアラーム日時（Ｎ日前、共鳴時刻）と、当該請求情報に含まれる支払期限とに基づいて、アラーム起動日時を求め、利用者ＩＤ、顧客番号、バーコード情報、及びアラーム起動日時を含むアラーム情報を作成し、請求管理情報データベース８０に登録し、請求情報登録処理ルーチンを終了する（図１３の（４）参照）。
【００７６】
図７に示すように、上記の利用者情報の登録、請求情報の登録は、支払い請求を発行する企業毎に行われ、一人の利用者に対して、企業毎の顧客番号及び請求情報を含む請求管理情報が複数登録される。
【００７７】
また、利用者が、携帯情報端末１２を操作して、アプリケーションソフトを起動すると、携帯情報端末１２において、図８に示す請求情報表示処理ルーチンが実行される。
【００７８】
まず、ステップ１２０において、携帯情報端末１２の表示部４４に、ログイン画面を表示し、サービスID及びパスワードの入力を受け付けたか否かを判定する。利用者が、携帯情報端末１２を操作して、サービスID及びパスワードを入力すると、ステップ１２２へ進む。ステップ１２２では、入力されたサービスID及びパスワードと、予め設定されているアプリＩＤとを含むログイン情報を、バーコードセンター側サーバ１６へ送信する（図４の（８）参照）。
【００７９】
このとき、バーコードセンター側サーバ１６において、図９に示す請求情報提供処理ルーチンが実行される。
【００８０】
ステップ１５０において、携帯情報端末１２から送信されたログイン情報（サービスID、パスワード、及びアプリＩＤ）を受け付けたか否かを判定し、ログイン情報を受け付けると、ステップ１５２へ進む。ステップ１５２では、当該ログイン情報と、利用者情報データベース６８の利用者情報とを照合して、認証処理を行う（図４の（９）参照）。次のステップ１５４では、認証結果を、携帯情報端末１２へ送信する（図４の（１０）参照）。このとき、認証が成功している場合には、認証結果と共に、照合された利用者情報の利用者ＩＤが送信される。
【００８１】
そして、ステップ１５６において、上記ステップ１５２で認証が成功したか否かを判定し、認証が失敗した場合には、請求情報提供処理ルーチンを終了し、一方、認証が成功した場合には、ステップ１５８へ移行する。
【００８２】
このとき、上記図８に示す請求情報表示処理ルーチンでは、ステップ１２４において、バーコードセンター側サーバ１６から認証結果を受信したか否かを判定し、認証結果を受信すると、ステップ１２６へ進む。
【００８３】
ステップ１２６では、上記ステップ１２４で受信した認証結果に基づいて認証が成功したか否かを判定し、認証が失敗した場合には、請求情報表示処理ルーチンを終了し、一方、認証が成功した場合には、ステップ１２８へ移行する。
【００８４】
ステップ１２８では、上記ステップ１２４で認証結果と同時に受信した利用者ＩＤを取得する。また、表示部４４に、メニュー画面が表示される（図４の（１１）参照）。ステップ１３０では、請求情報の一覧要求の入力を受け付けたか否かを判定する。利用者が携帯情報端末１２を操作して、上記メニュー画面から請求情報の一覧要求を入力すると、ステップ１３２へ進む。ステップ１３２では、上記ステップ１２８で取得した利用者ＩＤを含む請求情報一覧要求を、バーコードセンター側サーバ１６へ送信する（図４の（１２）参照）。
【００８５】
このとき、上記図９に示す請求情報提供処理ルーチンでは、ステップ１５８において、バーコードセンター側サーバ１６から送信された請求情報一覧要求を受け付けたか否かを判定し、請求情報一覧要求を受け付けると、ステップ１６０へ進む。ステップ１６０では、当該請求情報一覧要求に含まれる利用者ＩＤをキーにして、請求管理情報データベース８０から該当する請求管理情報であって、請求情報ステータスが「未収納」となっている請求管理情報を全て検索する（図４の（１３）参照）。
【００８６】
ステップ１６２では、上記ステップ１６０で検索された全ての請求管理情報の各々から、請求詳細情報及びバーコード情報を取得して、携帯情報端末１２へ送信する。次のステップ１６４では、上記ステップ１６０で検索された全ての請求管理情報の各々の表示ステータスを、「未表示」から「一覧表示済み」に更新する（図１０の（１）参照）。
【００８７】
また、上記図８に示す請求情報表示処理ルーチンでは、ステップ１３３において、バーコードセンター側サーバ１６から、請求詳細情報及びバーコード情報を受信したか否かを判定し、請求詳細情報及びバーコード情報を受信すると、ステップ１３４へ進む。
【００８８】
ステップ１３４では、図１１に示すような請求情報のリストからなる請求情報一覧を、表示部４４に表示する（図４の（１５）参照）。ステップ１３６では、バーコード表示要求の入力を受け付けたか否かを判定する。利用者が携帯情報端末１２を操作し、バーコード表示及び詳細表示を要求する請求情報を指定し、バーコード表示要求を入力すると、ステップ１３８へ進む。
【００８９】
ステップ１３８では、上記で指定された請求情報を示す請求ＩＤを含むバーコード表示要求を、バーコードセンター側サーバ１６へ送信する（図４の（２０）参照）。
【００９０】
このとき、上記図９に示す請求情報提供処理ルーチンでは、ステップ１６６において、バーコードセンター側サーバ１６から送信されたバーコード表示要求を受け付けたか否かを判定し、バーコード表示要求を受け付けると、ステップ１６８へ進む。ステップ１６８では、当該バーコード表示要求に含まれる各請求ＩＤをキーにして、請求管理情報データベース８０から該当する請求管理情報であって、請求情報ステータスが「未収納」となっている請求管理情報を全て検索し、請求情報ステータスが「未収納」であるかをそれぞれ確認する（図４の（２１）参照）。
【００９１】
そして、ステップ１７０において、上記ステップ１６８での請求情報ステータスの確認結果を、携帯情報端末１２へ送信し、ステップ１７２において、当該バーコード表示要求に含まれる各請求ＩＤに対応する請求管理情報の表示ステータスを、「一覧表示済」から「詳細表示済」に更新し（図１０の（２）参照）、請求情報提供処理ルーチンを終了する。
【００９２】
また、上記図８に示す請求情報表示処理ルーチンでは、ステップ１４０において、上記で指定された請求情報の各々について、バーコードセンター側サーバ１６から受信した請求情報ステータスの確認結果に基づいて、「未収納」の請求情報に対するバーコード情報をコード変換して、図１１に示すように、バーコードを表示部４４に表示すると共に、請求詳細情報を表示部４４に表示し、請求情報表示処理ルーチンを終了する。このとき、図１１に示すように、利用者は携帯情報端末１２の表示部４４に対して画面をスライドさせるように操作することにより、各請求情報のバーコード及び請求詳細情報を、順次、表示部４４に表示させることができる。
【００９３】
利用者は、コンビニエンスストアにおいて、当該バーコードを表示した携帯情報端末１２の表示画面を提示する。当該バーコードは、バーコードリーダ３２でスキャンされ、ＰＯＳレジスタ３４によって、支払い金額等に復号され、支払い金額等が表示され、支払いが行われる。
【００９４】
支払いが行われると、決済コントローラ３６から、ネットワーク用サーバ２２へリアルタイムに、支払いが行われたバーコード情報を含む収納済み通知が送信される。ネットワーク用サーバ２２は、当該収納済み通知を、企業側へ送信すると共に、バーコードセンター側サーバ１６へ送信される。
【００９５】
このとき、バーコードセンター側サーバ１６によって、図１２に示すリアルタイム通知時処理ルーチンが実行される。
【００９６】
まず、ステップ１８０において、ネットワーク用サーバ２２から送信された、バーコード情報を含む収納済み通知を受け付けたか否かを判定し、収納済み通知を受け付けると、ステップ１８２へ進む。
【００９７】
ステップ１８２では、上記ステップ１８０で受け付けた収納済み通知に含まれるバーコード情報をキーとして、請求管理情報データベース８０から該当する請求管理情報を検索する。そして、ステップ１８４において、上記ステップ１８２で検索された請求管理情報の請求情報ステータスを、「未収納」から「収納済」に更新して、リアルタイム通知時処理ルーチンを終了する。
【００９８】
また、バーコードセンター側サーバ１６は、所定時間の間隔で、現時刻がアラーム起動日時に該当するアラーム情報を、請求管理情報データベース８０から検索し（図１３の（５）参照）、該当するアラーム情報が検索されると、当該アラーム情報に含まれる利用者ＩＤの利用者情報からアプリＩＤを取得し、当該アプリＩＤが付与された携帯情報端末１２に対して、アラーム起動通知を送信する。これによって、アラーム起動通知を受信した携帯情報端末１２では、アプリケーションソフトを起動し、アラームを鳴らす（図１３の（６）参照）。
【００９９】
また、企業側端末１８から、バーコードセンター側サーバ１６へ、顧客番号及びバーコード情報を含むステータス照会要求が送信されると、バーコードセンター側サーバ１６は、送信された顧客番号及びバーコード情報をキーとして、請求管理情報データベース８０から、該当する請求管理情報を検索し、検索された請求管理情報の請求ステータス及び表示ステータスを示す情報を、当該企業側端末１８へ送信する（図１０の（３）参照）。
【０１００】
以上説明したように、第１の実施の形態に係る決済システムによれば、複数の企業からの支払い請求がある場合であっても、複数の請求情報を利用者IDで紐付け、携帯情報端末に複数の請求情報のバーコードをまとめて表示可能とすることにより、携帯情報端末を用いて簡易に支払いを行うことができる。
【０１０１】
また、バーコードセンター側サーバは、携帯情報端末からの要求情報に従って、請求管理情報の表示ステータスを更新し、企業側端末からのステータス照会要求を受け付けることにより、企業側は、利用者が請求内容を閲覧したか否かを把握することができる。
【０１０２】
また、利用者がアラーム日時をバーコードセンター側サーバへ登録し、登録されたアラーム日時に、携帯情報端末のアラームを起動させることにより、利用者に対して、未払いの請求情報があることを知らせることができる。
【０１０３】
次に、第２の実施の形態に係る決済システムについて説明する。なお、第２の実施の形態に係る決済システムの構成は、第１の実施の形態と同様の構成であるため、同一符号を付して説明を省略する。
【０１０４】
第２の実施の形態では、携帯情報端末でバーコードを表示している間、当該請求情報の請求情報ステータスを検索し、「収納済」に更新された場合、表示されているバーコード画面を切り替える点が、第１の実施の形態と異なっている。
【０１０５】
第２の実施の形態に係る携帯情報端末１２のバーコード表示制御部５０は、図１４に示すように、バーコードを表示部４４にさせている間（図１４の（１）参照）、一定間隔で、当該バーコードの請求情報に対応する請求情報ステータスの確認要求を、バーコードセンター側サーバ１６へ送信する（図１４の（２）、（６）参照）。
【０１０６】
バーコードセンター側サーバ１６の照会管理部８２は、携帯情報端末１２から送信された上記の確認要求に基づいて、該当する請求管理情報を、請求管理情報データベース８０から検索し、検索された請求管理情報の請求情報ステータスを取得し、取得した請求情報ステータスを示す情報を、当該携帯情報端末１２へ送信する。
【０１０７】
携帯情報端末１２のバーコード表示制御部５０は、上記の確認要求に対応して、バーコードセンター側サーバ１６から送信された請求情報ステータスを示す情報を受け付けると、請求情報ステータスが、収納済みであるか否かを判定し、収納済みであると判定されると、表示部４４に表示しているバーコードの表示画面を切り替えて、収納済みとなった請求情報に対応するバーコードが、表示されないように制御する（図１４の（７）参照）。
【０１０８】
なお、第２の実施の形態に係る決済システムの他の構成及び作用については、第１の実施の形態と同様であるため、説明を省略する。
【０１０９】
このように、コンビニネットワーク用サーバからリアルタイムで通知される収納済み通知を用いて、請求情報ステータスを更新し、携帯情報端末においてバーコードを表示している間、請求情報ステータスを繰り返し確認することにより、リアルタイム性を高めて、収納済みのバーコード表示を中止することができ、２重払いを防ぐことができる。
【０１１０】
次に、第３の実施の形態に係る決済システムについて説明する。なお、第３の実施の形態に係る決済システムの構成は、第１の実施の形態と同様の構成であるため、同一符号を付して説明を省略する。
【０１１１】
第３の実施の形態では、請求情報ステータスが「未収納」から「収納済」に更新されたタイミングで、バーコードセンター側サーバからPush通知を送信し、携帯情報端末に表示されているバーコード画面を切り替える点が、第１の実施の形態と異なっている。
【０１１２】
第３の実施の形態に係るバーコードセンター側サーバ１６の収納済更新部９４は、通知時検索部９２により検索された請求管理情報の請求ステータスを、「収納済」に更新すると、当該請求管理情報のバーコード情報を含むＰｕｓｈ通知を、当該請求管理情報のアプリＩＤが付与されている携帯情報端末１２へ送信する（図１５の（５）参照）。
【０１１３】
携帯情報端末１２のバーコード表示制御部５０は、バーコードセンター側サーバ１６から送信された上記のＰｕｓｈ通知を受け付けると、当該Ｐｕｓｈ通知に含まれているバーコード情報に基づくバーコードを表示部４４に表示しているか否かを判定し、当該バーコードを表示していると判定されると、表示部４４に表示しているバーコードの表示画面を切り替えて、収納済みとなった請求情報に対応するバーコードが、表示されないように制御する（図１５の（６）参照）。
【０１１４】
なお、第３の実施の形態に係る決済システムの他の構成及び作用については、第１の実施の形態と同様であるため、説明を省略する。
【０１１５】
このように、コンビニネットワーク用サーバからリアルタイムで通知される収納済み通知を用いて、請求情報ステータスを更新し、携帯情報端末に対して、請求情報ステータスが「収納済」に更新されたことを示すＰｕｓｈ通知を送信することにより、リアルタイム性を高めて、収納済みのバーコード表示を中止することができ、２重払いを防ぐことができる。
【０１１６】
次に、第４の実施の形態に係る決済システムについて説明する。なお、第４の実施の形態に係る決済システムの構成は、第１の実施の形態と同様の構成であるため、同一符号を付して説明を省略する。
【０１１７】
第４の実施の形態では、収納企業から、支払い期限を超過した請求情報を対象にアラーム設定を行っている点が、第１の実施の形態と異なっている。
【０１１８】
企業側において、オペレータが、企業側端末１８を操作して、支払い期限を超過した請求情報を対象に、バーコード情報及びアラーム設定情報（共鳴日時）を入力すると、企業側端末１８から、バーコード情報及びアラーム設定情報が、バーコードセンター側サーバ１６へ送信される（図１６の（７）参照）。バーコードセンター側サーバ１６は、企業側端末１８から送信されたバーコード情報に基づいて、請求管理情報データベース８０から、該当する請求管理情報を検索し、検索された請求管理情報と、企業側端末１８から送信されたアラーム設定情報とに基づいて、アラーム情報を作成し、請求管理情報データベース８０へ格納する。
【０１１９】
なお、第４の実施の形態に係る決済システムの他の構成及び作用については、第１の実施の形態と同様であるため、説明を省略する。
【０１２０】
このように、企業が支払期限を超過した請求情報に対し、アラーム通知設定を行い、登録されたアラーム通知日時に、携帯情報端末のアラームを起動させることにより、利用者に対して、支払期限を超過した未払いの請求情報があることを知らせることができる。
【０１２１】
なお、上記の実施の形態では、コードパターンとして、バーコードを用いる場合を例に説明したが、これに限定されるものではなく、他のコードパターンを用いてもよい。たとえば、ＱＲコード（登録商標）などの二次元コード（二次元バーコード）や、文字コード等を用いてもよい。
【０１２２】
また、コンビニエンスストア以外に、バーコードリーダ、ＰＯＳレジスタ、及び決済コントローラを設置してもよい。例えば、ファミリーレストラン、ガソリンスタンド等の店舗に、バーコードリーダ、ＰＯＳレジスタ、及び決済コントローラを設置してもよい。
【０１２３】
また、バーコード情報を含む収納済み通知がＰＯＳレジスタから決済コントローラに供給され、決済コントローラから、収納済み通知がリアルタイムでネットワーク用サーバに供給される場合を例に説明したが、これに限定されるものではない。例えば、バーコードリーダからバーコード情報がＰＯＳレジスタを経由せずに決済コントローラに供給され、決済コントローラから、当該バーコード情報を含む収納済み通知がリアルタイムでネットワーク用サーバに供給されるように構成してもよい。
【０１２４】
次に、第５の実施の形態に係る決済システムについて説明する。なお、第１の実施の形態と同様の構成となる部分については、同一符号を付して説明を省略する。
【０１２５】
第５の実施の形態では、コンビニエンスストア等において、携帯端末との近距離無線通信により支払い決済を行っている点が、第１の実施の形態と異なっている。
【０１２６】
図１７に示すように、第５の実施の形態に係る決済システム５１０は、利用者が操作する携帯情報端末５１２と、Ｗｅｂサーバ１４と、センター側サーバ５１６と、企業側端末１８と、コンビニエンスストアに設置されるコンビニエンスストア設備５２０と、ネットワーク用サーバ２２とを備えている。なお、センター側サーバ５１６が、決済サーバの一例である。
【０１２７】
コンビニエンスストア設備５２０は、無線通信装置５３２、ＰＯＳレジスタ３４と、決済コントローラ３６とを備えている。なお、無線通信装置５３２、ＰＯＳレジスタ３４と、決済コントローラ３６とが、決済装置の一例である。
【０１２８】
無線通信装置５３２は、ＰＯＳレジスタ３４に予め接続され、例えば、赤外線通信やＢｌｕｅｔｏｏｔｈ（登録商標）などの近距離無線通信（ＮＦＣ）を行って受信することにより、支払い金額を含む支払い請求情報を携帯情報端末５１２から取得する。そして、取得した支払い請求情報を接続されたＰＯＳレジスタ３４に供給する。
【０１２９】
ＰＯＳ（Point Of Sales）レジスタ３４は、接続された無線通信装置５３２を介して取得した支払い金額を表示する。利用者からの支払いが行われると、支払い請求情報を含む収納済み通知を決済コントローラ３６に供給する。
【０１３０】
決済コントローラ３６は、ＰＯＳレジスタ３４から送られた支払い請求情報を含む収納済み通知をリアルタイムでネットワーク用サーバ２２に供給する。
【０１３１】
ネットワーク用サーバ２２は、決済コントローラ３６から通知された収納済み通知を、企業側にリアルタイムに通知すると共に、センター側サーバ５１６にリアルタイムに通知する。
【０１３２】
携帯情報端末５１２は、図１８に示すように、通信部４０と、制御部５４２と、表示部４４と、無線通信部５５４とを含んで構成されている。
【０１３３】
通信部４０は、ネットワーク２４を介した通信を行う。表示部４４は、例えば、タッチパネルディスプレイからなり、所定のメニュー画面を表示する。また、表示部４４により、利用者からの指示情報等を入力する。無線通信部５５４は、近距離無線通信により支払い請求情報を送信する。
【０１３４】
制御部５４２は、登録設定部４６、請求履歴表示制御部４８、支払い通信制御部５５０、及びアラーム共鳴部５２を備えている。
【０１３５】
登録設定部４６は、センター側サーバ５１６に対して初期登録（パスワードの登録）を行い、センター側サーバ５１６から付与されたサービスＩＤ及びアプリＩＤを自端末に設定する。
【０１３６】
請求履歴表示制御部４８は、サービスＩＤ、パスワード、及びアプリＩＤを用いた認証を行い、請求情報または支払い履歴情報をセンター側サーバ５１６から取得し、請求情報または支払い履歴情報の一覧を表示部４４に表示させる。
【０１３７】
支払い通信制御部５５０は、センター側サーバ５１６から取得した請求情報に含まれる支払い請求情報を、近距離無線通信により送信するように無線通信部５５４を制御する。
【０１３８】
アラーム共鳴部５２は、アラーム設定情報を、センター側サーバ５１６へ送信すると共に、センター側サーバ５１６から通知されるアラーム起動通知に従って、スピーカ（図示省略）又は表示部４４を用いてアラーム共鳴を行う。
【０１３９】
企業側端末１８は、支払い請求情報を発行する各企業側に設置されたコンピュータであり、センター側サーバ５１６が提供するサイトにアクセスし、オペレータの操作により、当該企業に対して支払いが生じる利用者の利用者情報を登録する。
【０１４０】
また、企業側端末１８は、センター側サーバ５１６が提供するサイトにアクセスし、オペレータの操作により、当該利用者に対する請求情報を登録する。
【０１４１】
センター側サーバ５１６は、ＣＰＵ、ＲＯＭ、ＲＡＭ、及びＨＤＤを備えたコンピュータで構成されており、ＨＤＤには、請求情報登録処理ルーチン、請求情報提供処理ルーチン、及びリアルタイム通知時処理ルーチンの各々に対するプログラムが記憶されている。
【０１４２】
センター側サーバ５１６は、上記の第１の実施の形態に係るバーコードセンター側サーバ１６と同様に、通信部５６、回線通信部５８、及び制御部６０を備えている。制御部６０は、企業側情報受付部６２、端末側情報受付部６４、利用者情報登録部６６、利用者情報データベース６８、アラーム登録部７０、顧客情報登録部７２、請求情報登録部７４、請求情報データベース７６、請求管理情報登録部７８、請求管理情報データベース８０、照会管理部８２、認証部８４、検索部８６、アラーム管理部８８、リアルタイム通知受付部９０、通知時検索部９２、及び収納済更新部９４を備えている。
【０１４３】
請求情報登録部７４は、企業側端末１８から送信された、請求情報（顧客番号、金額、商品、支払い請求情報等）を、請求情報データベース７６に登録する。
【０１４４】
また、検索部８６は、携帯情報端末５１２から送信された、請求IDを含む支払い要求に基づいて、請求管理情報データベース８０から該当する請求管理情報を検索して、請求ステータスが「未収納」であるか否かを確認し、当該携帯情報端末５１２へ、確認結果を通信部５６により送信させる。
【０１４５】
次に、第５の実施の形態に係る決済システム５１０の作用について説明する。なお、第１の実施の形態と同様の処理については、同一符号を付して詳細な説明を省略する。
【０１４６】
まず、利用者が、携帯情報端末５１２を操作して、Webサーバ１４からアプリケーションソフトをダウンロードして携帯情報端末５１２にインストールすると、携帯情報端末５１２の表示部４４に、初期設定画面が表示される。利用者が、携帯情報端末５１２を操作して、パスワードを入力すると、携帯情報端末５１２から、初期設定情報（サービスID（ブランク）、パスワード、及びアプリID（ブランク））が、センター側サーバ５１６へ送信される。
【０１４７】
センター側サーバ５１６では、受信した初期設定情報のアプリIDを、利用者情報データベース６８から検索し、存在しない場合、サービスＩＤ、アプリID、及び利用者IDを付与して、サービスID、パスワード、利用者ID、及びアプリIDを含む利用者情報を、利用者情報データベース６８へ登録する。
【０１４８】
そして、センター側サーバ５１６から付与された、サービスID及びアプリIDが、当該携帯情報端末５１２へ送信され、当該携帯情報端末５１２において、送信された、サービスID及びアプリＩＤを自端末に設定する。
【０１４９】
利用者は、契約している企業に対して、当該アプリケーションソフトを用いた決済サービスを利用するために、上記のサービスＩＤ及びパスワードを通知する。また、利用者は、アラーム設定を行う場合には、利用者が、携帯情報端末５１２を操作して、アラーム設定情報（Ｎ日前と共鳴時刻）を入力すると、携帯情報端末５１２から、アラーム設定情報が、センター側サーバ５１６へ送信される。センター側サーバ５１６は、携帯情報端末５１２から送信されたアラーム設定情報を、該当する利用者情報に登録する。
【０１５０】
企業側端末１８では、オペレータが操作することにより、利用者から通知されたサービスＩＤ及びパスワードと、当該企業の企業コードと、当該企業において利用者を識別するために独自に付与した顧客番号とを含む顧客情報が入力されると、企業側端末１８から、入力された顧客情報が、センター側サーバ５１６へ送信される。
【０１５１】
センター側サーバ５１６では、受信した顧客情報のサービスＩＤ及びパスワードを、利用者情報データベース６８の利用者情報と照合し、照合された利用者情報に対して、顧客情報の顧客番号及び企業コードを登録する。
【０１５２】
企業側端末１８では、オペレータが操作することにより、顧客番号、各種の詳細情報、及び支払い請求情報を含む請求情報が入力されると、企業側端末１８から、入力された請求情報が、センター側サーバ５１６へ送信される。
【０１５３】
センター側サーバ５１６は、企業側端末１８から送信された請求情報を受信すると、上記図６に示す請求情報登録処理ルーチンと同様の処理ルーチンを実行する。
【０１５４】
また、利用者が、携帯情報端末５１２を操作して、アプリケーションソフトを起動すると、携帯情報端末５１２において、図１９に示す請求情報表示処理ルーチンが実行される。
【０１５５】
まず、ステップ１２０において、携帯情報端末５１２の表示部４４に、ログイン画面を表示し、サービスID及びパスワードの入力を受け付けたか否かを判定する。利用者が、携帯情報端末５１２を操作して、サービスID及びパスワードを入力すると、ステップ１２２へ進む。ステップ１２２では、入力されたサービスID及びパスワードと、予め設定されているアプリＩＤとを含むログイン情報を、センター側サーバ５１６へ送信する。
【０１５６】
このとき、センター側サーバ５１６において、図２０に示す請求情報提供処理ルーチンが実行される。
【０１５７】
ステップ１５０において、携帯情報端末５１２から送信されたログイン情報（サービスID、パスワード、及びアプリＩＤ）を受け付けたか否かを判定し、ログイン情報を受け付けると、ステップ１５２へ進む。ステップ１５２では、当該ログイン情報と、利用者情報データベース６８の利用者情報とを照合して、認証処理を行う。次のステップ１５４では、認証結果を、携帯情報端末５１２へ送信する。このとき、認証が成功している場合には、認証結果と共に、照合された利用者情報の利用者ＩＤが送信される。
【０１５８】
そして、ステップ１５６において、上記ステップ１５２で認証が成功したか否かを判定し、認証が失敗した場合には、請求情報提供処理ルーチンを終了し、一方、認証が成功した場合には、ステップ１５８へ移行する。
【０１５９】
このとき、上記図１９に示す請求情報表示処理ルーチンでは、ステップ１２４において、センター側サーバ５１６から認証結果を受信したか否かを判定し、認証結果を受信すると、ステップ１２６へ進む。
【０１６０】
ステップ１２６では、上記ステップ１２４で受信した認証結果に基づいて認証が成功したか否かを判定し、認証が失敗した場合には、請求情報表示処理ルーチンを終了し、一方、認証が成功した場合には、ステップ１２８へ移行する。
【０１６１】
ステップ１２８では、上記ステップ１２４で認証結果と同時に受信した利用者ＩＤを取得する。また、表示部４４に、メニュー画面が表示される。ステップ１３０では、請求情報の一覧要求の入力を受け付けたか否かを判定する。利用者が携帯情報端末５１２を操作して、上記メニュー画面から請求情報の一覧要求を入力すると、ステップ１３２へ進む。ステップ１３２では、上記ステップ１２８で取得した利用者ＩＤを含む請求情報一覧要求を、センター側サーバ５１６へ送信する。
【０１６２】
このとき、上記図２０に示す請求情報提供処理ルーチンでは、ステップ１５８において、センター側サーバ５１６から送信された請求情報一覧要求を受け付けたか否かを判定し、請求情報一覧要求を受け付けると、ステップ１６０へ進む。ステップ１６０では、当該請求情報一覧要求に含まれる利用者ＩＤをキーにして、請求管理情報データベース８０から該当する請求管理情報であって、請求情報ステータスが「未収納」となっている請求管理情報を全て検索する。
【０１６３】
ステップ６６２では、上記ステップ１６０で検索された全ての請求管理情報の各々から、請求詳細情報及び支払い請求情報を取得して、携帯情報端末５１２へ送信する。次のステップ１６４では、上記ステップ１６０で検索された全ての請求管理情報の各々の表示ステータスを、「未表示」から「一覧表示済み」に更新する。
【０１６４】
また、上記図１９に示す請求情報表示処理ルーチンでは、ステップ６３３において、センター側サーバ５１６から、請求詳細情報及び支払い請求情報を受信したか否かを判定し、請求詳細情報及び支払い請求情報を受信すると、ステップ１３４へ進む。
【０１６５】
ステップ１３４では、請求情報のリストからなる請求情報一覧を、表示部４４に表示する。ステップ６３６では、支払い要求の入力を受け付けたか否かを判定する。利用者が携帯情報端末５１２を操作し、詳細表示を要求する請求情報を指定すると共に、詳細表示画面において、支払い要求を入力すると、ステップ６３８へ進む。
【０１６６】
ステップ６３８では、上記で指定された請求情報を示す請求ＩＤを含む支払い要求を、センター側サーバ５１６へ送信する。
【０１６７】
このとき、上記図２０に示す請求情報提供処理ルーチンでは、ステップ６６６において、センター側サーバ５１６から送信された支払い要求を受け付けたか否かを判定し、支払い要求を受け付けると、ステップ１６８へ進む。ステップ１６８では、当該支払い要求に含まれる各請求ＩＤをキーにして、請求管理情報データベース８０から該当する請求管理情報であって、請求情報ステータスが「未収納」となっている請求管理情報を全て検索し、請求情報ステータスが「未収納」であるかをそれぞれ確認する。
【０１６８】
そして、ステップ１７０において、上記ステップ１６８での請求情報ステータスの確認結果を、携帯情報端末５１２へ送信し、ステップ１７２において、当該支払い要求に含まれる各請求ＩＤに対応する請求管理情報の表示ステータスを、「一覧表示済」から「詳細表示済」に更新し、請求情報提供処理ルーチンを終了する。
【０１６９】
また、上記図１９に示す請求情報表示処理ルーチンでは、ステップ６４０において、上記で指定された請求情報の各々について、センター側サーバ５１６から受信した請求情報ステータスの確認結果に基づいて、「未収納」の請求情報に対する支払い請求情報を、無線通信部５５４による近距離無線通信で送信し、請求情報表示処理ルーチンを終了する。このとき、利用者は携帯情報端末５１２を操作して、複数の請求情報を指定することにより、各請求情報の支払い請求情報を同時に送信させることができる。
【０１７０】
利用者は、コンビニエンスストアにおいて、当該支払い請求情報を携帯情報端末５１２から無線通信装置５３２へ送信する。当該支払い請求情報は、無線通信装置５３２によって受信され、ＰＯＳレジスタ３４に入力されて、支払い金額等が表示され、支払いが行われる。
【０１７１】
支払いが行われると、決済コントローラ３６から、ネットワーク用サーバ２２へリアルタイムに、支払いが行われた支払い請求情報を含む収納済み通知が送信される。ネットワーク用サーバ２２は、当該収納済み通知を、企業側へ送信すると共に、センター側サーバ５１６へ送信される。
【０１７２】
このとき、センター側サーバ５１６によって、図２１に示すリアルタイム通知時処理ルーチンが実行される。
【０１７３】
まず、ステップ６８０において、ネットワーク用サーバ２２から送信された、支払い請求情報を含む収納済み通知を受け付けたか否かを判定し、収納済み通知を受け付けると、ステップ６８２へ進む。
【０１７４】
ステップ６８２では、上記ステップ６８０で受け付けた収納済み通知に含まれる支払い請求情報をキーとして、請求管理情報データベース８０から該当する請求管理情報を検索する。そして、ステップ１８４において、上記ステップ６８２で検索された請求管理情報の請求情報ステータスを、「未収納」から「収納済」に更新して、リアルタイム通知時処理ルーチンを終了する。
【０１７５】
また、センター側サーバ５１６は、所定時間の間隔で、現時刻がアラーム起動日時に該当するアラーム情報を、請求管理情報データベース８０から検索し、該当するアラーム情報が検索されると、当該アラーム情報に含まれる利用者ＩＤの利用者情報からアプリＩＤを取得し、当該アプリＩＤが付与された携帯情報端末５１２に対して、アラーム起動通知を送信する。これによって、アラーム起動通知を受信した携帯情報端末５１２では、アプリケーションソフトを起動し、アラームを鳴らす。
【０１７６】
また、企業側端末１８から、センター側サーバ５１６へ、顧客番号及び支払い請求情報を含むステータス照会要求が送信されると、センター側サーバ５１６は、送信された顧客番号及び支払い請求情報をキーとして、請求管理情報データベース８０から、該当する請求管理情報を検索し、検索された請求管理情報の請求ステータス及び表示ステータスを示す情報を、当該企業側端末１８へ送信する。
【０１７７】
以上説明したように、第５の実施の形態に係る決済システムによれば、複数の企業からの支払い請求がある場合であっても、複数の請求情報を利用者IDで紐付け、携帯情報端末から、複数の請求情報の支払い請求情報をまとめて無線送信可能とすることにより、携帯情報端末を用いて簡易に支払いを行うことができる。
【０１７８】
なお、上記の第５の実施の形態において、携帯情報端末で支払い請求情報を無線送信するため待機している間、当該請求情報の請求情報ステータスを検索し、「収納済」に更新された場合、支払い請求情報の送信を中止させるようにしてもよい。
【０１７９】
また、第３の実施の形態と同様に、請求情報ステータスが「未収納」から「収納済」に更新されたタイミングで、センター側サーバからPush通知を送信し、携帯情報端末から、該当する支払い請求情報を近距離無線通信により送信することを禁止するようにしてもよい。この場合には、例えば、携帯情報端末の表示画面において、対応する支払い要求を入力するためのボタンを無効にするようにすればよい。
【０１８０】
また、第４の実施の形態と同様に、収納企業から、支払い期限を超過した請求情報を対象にアラーム設定を行うようにしてもよい。
【０１８１】
また、携帯情報端末から、支払い請求情報を、ＰＯＳレジスタに接続された無線通信装置へ近距離無線通信により送信する場合を例に説明したが、イベントの電子チケットや、小売店・飲食店などで用いる電子クーポンを、携帯情報端末から近距離無線通信により送信するようにしてもよい。
【０１８２】
また、携帯情報端末から近距離無線通信により支払い請求情報を送信する場合を例に説明したが、これに限定されるものではなく、ＲＦＩＤなどの他の無線通信手法により支払い請求情報を送信するようにしてもよい。
【０１８３】
また、コンビニエンスストア以外に、無線通信装置、ＰＯＳレジスタ、及び決済コントローラを設置してもよい。例えば、ファミリーレストラン、ガソリンスタンド等の店舗や収納窓口に、無線通信装置、ＰＯＳレジスタ、及び決済コントローラを設置してもよい。
【０１８４】
また、支払い請求情報を含む収納済み通知がＰＯＳレジスタから決済コントローラに供給され、決済コントローラから、収納済み通知がリアルタイムでネットワーク用サーバに供給される場合を例に説明したが、これに限定されるものではない。例えば、無線通信装置から支払い請求情報がＰＯＳレジスタを経由せずに決済コントローラに供給され、決済コントローラから、当該支払い請求情報を含む収納済み通知がリアルタイムでネットワーク用サーバに供給されるように構成してもよい。
【０１８５】
ネットワーク用サーバ２２は、決済コントローラ３６から通知された収納済み通知を、企業側及びバーコードセンター側サーバ１６又はセンター側サーバ５１６にリアルタイムに通知する場合を例に説明したが、これに限定されるものではない。たとえば、ネットワーク用サーバ２２は、決済コントローラ３６から通知された収納済み通知を、所定期間分まとめて企業側及びバーコードセンター側サーバ１６又はセンター側サーバ５１６に通知するようにしてもよい。
【符号の説明】
【０１８６】
１０、５１０  決済システム
１２、５１２  携帯情報端末
１４   Ｗｅｂサーバ
１６   バーコードセンター側サーバ
１８   企業側端末
２０、５２０  コンビニエンスストア設備
２２   ネットワーク用サーバ
２２   ネットワークサービス用サーバ
３２   バーコードリーダ
３４   ＰＯＳレジスタ
３６   決済コントローラ
４０   通信部
４２   制御部
４４   表示部
４６   登録設定部
４８   請求履歴表示制御部
５０   バーコード表示制御部
５２   アラーム共鳴部
５６   通信部
５８   回線通信部
６０   制御部
６２   企業側情報受付部
６４   端末側情報受付部
６６   利用者情報登録部
６８   利用者情報データベース
７０   アラーム登録部
７２   顧客情報登録部
７４   請求情報登録部
７６   請求情報データベース
７８   請求管理情報登録部
８０   請求管理情報データベース
８２   照会管理部
８４   認証部
８６   検索部
８８   アラーム管理部
９０   リアルタイム通知受付部
９２   通知時検索部
９４   収納済更新部
５１６ センター側サーバ
５３２ 無線通信装置
５４２ 制御部
５５０ 支払い通信制御部
５５４ 無線通信部
【図１】
2014044700.tif 000003
【図２】
2014044700.tif 000004
【図３】
2014044700.tif 000005
【図６】
2014044700.tif 000006
【図８】
2014044700.tif 000007
【図９】
2014044700.tif 000008
【図１２】
2014044700.tif 000009
【図１９】
2014044700.tif 000010
【図２０】
2014044700.tif 000011
【図２１】
2014044700.tif 000012
【図４】
2014044700.tif 000013
【図５】
2014044700.tif 000014
【図７】
2014044700.tif 000015
【図１０】
2014044700.tif 000016
【図１１】
2014044700.tif 000017
【図１３】
2014044700.tif 000018
【図１４】
2014044700.tif 000019
【図１５】
2014044700.tif 000020
【図１６】
2014044700.tif 000021
【図１７】
2014044700.tif 000022
【図１８】
2014044700.tif 000023